(57)【特許請求の範囲】
【請求項１】
像担持体と、
前記像担持体に担持されたトナー像が転写される中間転写体と、
前記像担持体に担持されたトナー像を前記中間転写体に一次転写する一次転写手段と、
前記中間転写体に一次転写されたトナー像を転写材に二次転写する二次転写手段と、
を有する画像形成装置において、
前記中間転写体に対向し、前記中間転写体の搬送方向における前記一次転写手段の下流側で前記二次転写手段の上流側に配設され、中間転写体搬送方向の上流側に配設された第１の放電部と前記第１の放電部の下流側に配設された第２の放電部とを含む複数の放電部、及び前記複数の放電部と前記中間転写体との間に配設されたグリッド、を備え前記中間転写体に一次転写されたトナー像を除電する放電手段と、
前記第１の放電部に付与される電流が前記第２の放電部に付与される電流より小さくなるように、前記第１の放電部と前記第２の放電部とに異なる電流を付与する電流付与手段と、
を有することを特徴とする画像形成装置。
【請求項２】
前記放電手段は、トナーと逆極性の電圧を印加され、
前記グリッドは、トナーと同極性の電圧を印加されることを特徴とする請求項１に記載の画像形成装置。
【請求項３】
前記放電手段が対向する前記中間転写体の位置の背面側に、対向電極を配設したことを特徴とする請求項１又は２に記載の画像形成装置。
【請求項４】
前記対向電極は、前記中間転写体の背面に当接するブラシ電極であることを特徴とする請求項３に記載の画像形成装置。
【発明の詳細な説明】
【技術分野】
【０００１】
本発明は、複写機、プリンタ、ファクシミリ、及びこれらの機能を有する電子写真方式を用いた画像形成装置に関わり、特に、中間転写体を有し、該中間転写体上に複数のトナー像を重ね合わて画像を形成する画像形成装置に関する。
【背景技術】
【０００２】
中間転写体を用いた電子写真方式の画像形成装置では、感光体である像担持体上に形成したトナー像を中間転写体上に転写し（一次転写）、該中間転写体上のトナー像を転写材上に転写する（二次転写）ものが知られており、特にカラーの画像形成装置に多く用いられている。カラー画像形成装置では、像担持体上に順次形成される所定極性に帯電した各色のトナー像を一次転写手段により中間転写体に重ね合わせて転写した後、その中間転写体上のトナー像を二次転写手段により転写材上に一括して転写している。
【０００３】
かかるカラー画像形成装置においては、トナー１粒子当たりの帯電量はほぼ均一であることから、中間転写体上のトナー層電位は所定面積内でのトナー付着量によって決まり、中間転写体上のトナー像のうち複数色のトナーが重ね合わされた部分の帯電電位は、１色のトナーのみが付着している部分の帯電電位よりも大きくなる。また例えば、中間転写体上のトナー像がベタ部及びハーフトーン部を有する場合、ベタ部の帯電電位はハーフトーン部よりも大きくなる。
【０００４】
また、像担持体から中間転写体へトナー像を転写する一次転写部を通過した後のトナー像内での帯電電位のばらつきは、環境によっても発生する場合がある。
【０００５】
このように中間転写体上のトナー像の電位のばらつきが大きいと、転写特性が互いに異なる部分が同一トナー像内に存在することになる。この転写特性の異なるすべての部分を同じ転写条件下で転写材に転写しようとすると、中間転写体から転写材への二次転写時に様々な画像不良が発生しやすい。
【０００６】
近年、複写機、プリンタ、ファクシミリ、これらの機能を合わせ持つ複合機等の画像形成装置においてカラー化が進み、また重合トナー、小粒径トナーの採用により、転写プロセスにおいても高画質化への要求が大きくなってきている。また、画像形成装置の高速化も進んでいる。これらのことに対し、良好な画像を得るためには、一次転写の回数や環境などによって変化する中間転写体上のトナー電位を略均一になるように補正し、二次転写性能を向上させる必要がある。
【０００７】
特許文献１は、転写材に二次転写する前の中間転写体上のトナー像を帯電する転写前帯電手段を設けたものである。
【０００８】
特許文献２は、二次転写前帯電手段の付加帯電後のトナー像の電位と、二次転写手段の電位との差をほぼ一定の値に保つように、電位差制御手段が二次転写前帯電手段の直流電源及び二次転写手段の直流電源を制御するものである。
【特許文献１】特開平１０−２７４８９２号公報
【特許文献２】特開平１１−１４３２５５号公報
【発明の開示】
【発明が解決しようとする課題】
【０００９】
特許文献１，２では、中間転写体上のトナーの帯電量が大きい値に均一化されているので、低湿環境や、両面コピーモードでの２面目での転写時で、用紙の抵抗が高い場合には、用紙の電位上昇による放電での画像不良が生じ易く、かかる画像不良を防ぐために転写電圧を低く抑えると、トナー層総電荷の大きい部分は転写電界不足となり、濃度むらや画像周りへのトナー飛散が発生してしまう。
【００１０】
トナー層総電荷が大き過ぎることによる転写不良を防止するために、先行技術としてコロナ放電によって全ての画像部に対してトナー像電位と反対極性の均一な放電もなされているが、この場合にはトナー付着量の多い部分はトナー像電位が適正に抑えられて良好な画像が得られるが、ハーフトーン部などのトナー付着量の少ない画像部はトナー像電位が低下しすぎ、場合によっては電位が反転してしまい、画像荒れ、トナー飛散などの画像不良が発生してしまう。
【００１１】
本発明は、中間転写体上のトナー層総電荷の大きい箇所に対してはトナー像電位を抑えるようにし、ハーフトーン部などの低トナー付着量部にはトナー像電位がそのまま保持されて、二次転写が良好に行われ、画像荒れやトナー飛散が生じない、良好な二次転写画像が得られる除電手段を設けたカラー画像形成装置を提供することを目的とする。
【課題を解決するための手段】
【００１２】
本発明の目的は、下記の構成により達成することが出来る。
【００１３】
１．像担持体と、
前記像担持体に担持されたトナー像が転写される中間転写体と、
前記像担持体に担持されたトナー像を前記中間転写体に一次転写する一次転写手段と、
前記中間転写体に一次転写されたトナー像を転写材に二次転写する二次転写手段と、
を有する画像形成装置において、
前記中間転写体に対向し、前記中間転写体の搬送方向における前記一次転写手段の下流側で前記二次転写手段の上流側に配設され、中間転写体搬送方向の上流側に配設された第１の放電部と前記第１の放電部の下流側に配設された第２の放電部とを含む複数の放電部、及び前記複数の放電部と前記中間転写体との間に配設されたグリッド、を備え前記中間転写体に一次転写されたトナー像を除電する放電手段と、
前記第１の放電部に付与される電流が前記第２の放電部に付与される電流より小さくなるように、前記第１の放電部と前記第２の放電部とに異なる電流を付与する電流付与手段と、
を有することを特徴とする画像形成装置。
【００１４】
２．前記放電手段は、トナーと逆極性の電圧を印加され、
前記グリッドは、トナーと同極性の電圧を印加されることを特徴とする前記１に記載の画像形成装置。
【００１６】
３．前記放電手段が対向する前記中間転写体の位置の背面側に、対向電極を配設したことを特徴とする前記１又は２に記載の画像形成装置。
【００１７】
４．前記対向電極は、前記中間転写体の背面に当接するブラシ電極であることを特徴とする３に記載の画像形成装置。
【発明の効果】
【００１８】
本発明の画像形成装置を用いることにより、中間転写体上の二次転写前トナー像の低電位部の電位低下を抑え、高電位部を所望の値まで電位低下させることができ、良好な二次転写性能を得ることが可能となる。
【発明を実施するための最良の形態】
【００１９】
以下に本発明を、実施の形態を用いて説明するが、本発明は以下に説明する実施の形態に限られるものではない。
【００２０】
［カラー画像形成装置］
図１は本発明の画像形成装置の実施形態に係るカラー画像形成装置Ａの全体構成を示す断面図である。
【００２１】
このカラー画像形成装置Ａは、タンデム型カラー画像形成装置と称せられるもので、複数組の画像形成部１０Ｙ，１０Ｍ，１０Ｃ，１０Ｋと、ベルト状の中間転写体７、一次転写手段５Ｙ，５Ｍ，５Ｃ，５Ｋ、二次転写手段８、放電手段である二次転写前除電手段９Ａ１、定着装置１１、及び給紙装置２０を有する。
【００２２】
カラー画像形成装置Ａの上部の原稿台上に載置された原稿は、画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００２３】
イエロー（Ｙ）色の画像を形成する画像形成部１０Ｙは、像担持体１Ｙの周囲に配置された帯電手段２Ｙ、露光手段３Ｙ、現像手段４Ｙ及びクリーニング手段６Ｙを有する。
【００２４】
マゼンタ（Ｍ）色の画像を形成する画像形成部１０Ｍは、像担持体１Ｍ、帯電手段２Ｍ、露光手段３Ｍ、現像手段４Ｍ及びクリーニング手段６Ｍを有する。
【００２５】
シアン（Ｃ）色の画像を形成する画像形成部１０Ｃは、像担持体１Ｃ、帯電手段２Ｃ、露光手段３Ｃ、現像手段４Ｃ及びクリーニング手段６Ｃを有する。
【００２６】
黒（Ｋ）色の画像を形成する画像形成部１０Ｋは、像担持体１Ｋ、帯電手段２Ｋ、露光手段３Ｋ、現像手段４Ｋ及びクリーニング手段６Ｋを有する。
【００２７】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２８】
像担持体１Ｙ，１Ｍ，１Ｃ，１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００２９】
帯電手段２Ｙ，２Ｍ，２Ｃ，２Ｋとしては、スコロトロン、コロトロン等のコロナ放電手段が用いられるが、スコロトロン放電手段が好ましく用いられる。
【００３０】
露光手段３Ｙ，３Ｍ，３Ｃ，３Ｋとしては、レーザ、ＬＥＤアレイ等、画像データに従って発光する発光素子が用いられる。
【００３１】
ベルト状の中間転写体７は、半導電性を有し、複数の支持ローラ７１，７２，７３，７４、及びバックアップローラ７５により巻回され、循環移動可能に支持される。本実施の形態では、中間転写体７は、支持ローラ７３，７４の間が平面状に支持されている。
【００３２】
画像形成部１０Ｙ，１０Ｍ，１０Ｃ，１０Ｋより形成された各色の画像は、回動する中間転写体７上に一次転写手段５Ｙ，５Ｍ，５Ｃ，５Ｋにより逐次転写されて（一次転写）、合成されたカラー画像が形成される。
【００３３】
給紙装置２０の給紙カセット２１内に収容された転写材Ｐは、給紙手段（第１給紙部）２２により給紙され、給紙ローラ２３，２４，２５、レジストローラ（第２給紙部）２６等を経て、二次転写手段８に搬送され、転写材Ｐ上にカラー画像が転写される（二次転写）。
【００３４】
カラー画像が転写された転写材Ｐは、定着装置１１により熱と圧力とを加えられ、転写材Ｐ上のカラートナー画像（或いは単色トナー画像）が定着されて転写材Ｐ上に固定され、排紙ローラ２７から排出され、機外の排紙トレイ２８上に載置される。
【００３５】
一方、二次転写手段８により転写材Ｐにカラー画像を転写した後、転写材Ｐを曲率分離した中間転写体７は、クリーニング手段６Ａにより残留トナーが除去される。
【００３６】
［一次転写手段］
図２は該カラー画像形成装置Ａの要部を示す断面図である。
【００３７】
イエロー色の画像を転写する一次転写手段５Ｙは、一次転写ローラ５ＹＡと、一次転写ローラ５ＹＡに電圧を印加する直流電源５ＹＥとから構成されている。一次転写ローラ５ＹＡは、中間転写体７を介して像担持体１Ｙに対向し、中間転写体７の内面に摺接する。直流電源５ＹＥは接地されている。
【００３８】
マゼンタ色の画像を転写する一次転写手段５Ｍは、一次転写ローラ５ＭＡと、一次転写ローラ５ＭＡに電圧を印加する直流電源５ＭＥとから構成されている。一次転写ローラ５ＭＡは、中間転写体７を介して像担持体１Ｍに対向し、中間転写体７の内面に摺接する。直流電源５ＭＥは接地されている。
【００３９】
シアン色の画像を転写する一次転写手段５Ｃは、一次転写ローラ５ＣＡと、一次転写ローラ５ＣＡに電圧を印加する直流電源５ＣＥとから構成されている。一次転写ローラ５ＣＡは、中間転写体７を介して像担持体１Ｃに対向し、中間転写体７の内面に摺接する。直流電源５ＣＥは接地されている。
【００４０】
黒色画像を転写する一次転写手段５Ｋは、一次転写ローラ５ＫＡと、一次転写ローラ５ＫＡに電圧を印加する直流電源５ＫＥとから構成されている。一次転写ローラ５ＫＡは、中間転写体７を介して像担持体１Ｋに対向し、中間転写体７の内面に摺接する。直流電源５ＫＥは接地されている。
【００４１】
一次転写手段５Ｙ，５Ｍ，５Ｃ，５Ｋの各直流電源５ＹＥ，５ＭＥ，５ＣＥ，５ＫＥには、電流値４０μＡ、電圧値＋１．５ｋＶが印加される。
【００４２】
また、一次転写手段５Ｙ，５Ｍ，５Ｃ，５Ｋは、一次転写時以外の場合には、図示しない駆動手段により移動され、中間転写体７の内面から離間して退避する。
【００４３】
［二次転写手段］
二次転写手段８は、バックアップローラ７５、二次転写ローラ８Ａ、直流電源８Ｅ等から構成されている。導電性材料から成るバックアップローラ７５は、中間転写体７を介して二次転写ローラ８Ａに対向し、中間転写体７の内面に摺接する。
【００４４】
バックアップローラ７５は直流電圧を印加する直流電源８Ｅに接続されている。二次転写手段８の直流電源８Ｅには、電流値５０μＡ、電圧値＋３ｋＶが印加される。直流電源８Ｅは中間転写体７に当接する二次転写ローラ８Ａに付着した残留トナーを逆バイアス印加により中間転写体７に転移させてクリーニングする。
【００４５】
二次転写ローラ８Ａのバックアップローラ７５は、一次転写ローラ５ＹＡ，５ＭＡ，５ＣＡ，５ＫＡとほぼ同じ構成をなし、中間転写体７の内面側に圧接する。導電性のバックアップローラ７５は、ローラ本体と、ローラ本体の表面に形成された弾性層とにより形成されている。
【００４６】
中間転写体７は、ポリアミドあるいはポリイミド等を材料とする単層又は多層ベルトで、体積抵抗率１０7〜１０12Ωｃｍのものが用いられている。
【００４７】
中間転写体７は、二次転写手段８により転写材Ｐに二次転写した後、クリーニング手段６Ａを通過してクリーニングされる。
【００４８】
二次転写ローラ８Ａは、二次転写時以外の場合には、図示しない駆動手段により移動され、中間転写体７の表面から離間して退避する。
【００４９】
［二次転写前除電手段］
中間転写体７に沿った一次転写手段５Ｋと支持ローラ７４との間で、中間転写体７が平面状に支持される位置に、本発明に係る二次転写前除電手段９Ａ１が配設されている。
【００５０】
中間転写方式のカラー画像形成装置において、一次色では二次転写性能が良好である場合であっても、二次色では二次転写不良になって、高画質の画像が得られないという問題がある。これは中間転写体７上に形成されるトナー像が１層から最大で４層までの広範囲の付着量を有しており、それぞれの付着量に応じて二次転写条件の適正化がくずれてしまう事による。これを防ぐために、導電性ブラシや導電性発泡部材等の対向電極であるブラシ電極９Ｂを中間転写体７に面接触させて接地を行っている。
【００５１】
図３は本発明の第１の実施形態に係る二次転写前除電手段９Ａ１の断面図である。
【００５２】
二次転写前除電手段９Ａ１は、中間転写体７の画像担持側に配置された除電極９Ａ１１と、無端ベルト状の中間転写体７の内面側に配置されたブラシ電極９Ｂと、から構成されている。
【００５３】
中間転写体７に対向して配置された除電極９Ａ１１は、第１の放電部である第１放電電極（放電ワイヤ）９１Ａ１，第２の放電部である第２放電電極（放電ワイヤ）９１Ａ２、グリッド電極９２、及びサイドプレート９３、から成るスコロトロン除電極である。
【００５４】
サイドプレート９３の内側で中間転写体７の回動方向上流側に配置された第１放電電極９１Ａ１は電流値付与手段の１つである第１の直流電源Ｅ１に接続されている。サイドプレート９３の内側で第１放電電極９１Ａ１の下流側に配置された第２放電電極９１Ａ２は電流値付与手段の他の一つである第２の直流電源Ｅ２に接続されている。グリッド電極９２は中間転写体７のベルト面と間隔をもって対向配置され、グリッド用直流電源Ｅ３に接続されている。サイドプレート９３はグリッド９２に接続されている。
【００５５】
第１放電電極９１Ａ１及び第２放電電極９１Ａ２は、直径が２０〜１５０μｍのタングステン、ステンレス鋼、金などの線材を用いることができるが、特に表面が金で形成されていることが好ましい。線材そのものを金で作製するか、あるいは、ステンレス鋼やタングステン等の基材の表面を金で被覆しても良い。金被膜の厚さは、オゾン等の放電生成物の除去効率や製造コスト、放電効率の観点から、平均膜厚で１μｍ〜５μｍが好ましい。
【００５６】
グリッド電極９２は、ワイヤ状のグリッドや、板金にエッチング等によってパターン形成された板状グリッドや、金メッキが施された板状グリッド等が採用される。
【００５７】
第１放電電極９１Ａ１及び第２放電電極９１Ａ２にはトナー像と逆極性の放電がなされる直流電圧が、グリッド電極９２にはトナー像と同極性の直流電圧が印加される。
【００５８】
二次転写前除電手段９Ａ１に対向する中間転写体７の内面側には、導電性ブラシ及び導電性ブラシを圧着解除する圧着解除機構で構成されるブラシ電極９Ｂが配設されている。導電性ブラシは、中間転写体７の内面側に摺接し、接地されている。
【００５９】
導電性ブラシは、素材はアクリル、ナイロン、ポリエステル等の導電性樹脂素材で構成され、線径はＩＳＯにより提唱された番手法による計量単位で０．１１１テックス乃至０．７７８テックス、ブラシ密度は１２０００本／ｃｍ2乃至７７０００本／ｃｍ2、原糸抵抗値は１０0乃至１０5Ωｃｍで構成されることが好ましい。
【実施例】
【００６０】
以下、実施例をあげて本発明を具体的に説明するが、本発明はこれに限定されるものではない。
【００６１】
［画像形成条件］
画像形成装置：タンデム型フルカラー複写機（コニカミノルタ８０５０（登録商標）改造機）、連続複写速度はフルカラーモードでＡ４判用紙を毎分５１枚出力する。
【００６２】
図４は、フルカラー複写機改造機の要部を示す模式図である。
【００６３】
本実施例では、発明の効果を確認するために、図２に示した一次転写手段５Ｙ，５Ｍ，５Ｃ、及び二次転写手段８を配設し、黒色のトナー像を形成する４段目の画像形成部１０Ｋに配置された像担持体１Ｋ、帯電手段２Ｋ、現像手段４Ｋ及びクリーニング手段６Ｋを取り外して、そこに本発明に係る二次転写前除電手段９Ａ１を設置したカラー画像形成装置Ａで画像を形成した。
【００６４】
像担持体１Ｙ，１Ｍ，１Ｃ：外径φ６０ｍｍ
転写材Ｐの搬送ライン速度：２２０ｍｍ／ｓｅｃ
現像剤：キャリアの平均粒径２０〜６０μｍ、重合トナーの平均粒径３〜７μｍ
帯電手段２Ｙ，２Ｍ，２Ｃ：帯電電圧Ｖ０は−７００Ｖ
露光手段３Ｙ，３Ｍ，３Ｃ：半導体レーザ（波長７８０ｎｍ）、露光時の像形成体表面電位Ｖｉは−５０Ｖ
現像手段４Ｙ，４Ｍ，４Ｃ：現像スリーブの電位Ｖｄｃは−５００Ｖ、現像バイアス電圧交流成分Ｖａｃは１ｋＶｐ−ｐの矩形波（周波数５ｋＨｚ）
一次転写ローラ５ＹＡ，５ＭＡ，５ＣＡ：導電性ローラ使用、ローラ押圧５０Ｎ（ニュートン）、転写電流４０μＡ、転写電圧＋１．５ｋＶを印加
二次転写手段８：中間転写体７をバックアップローラ７５と二次転写ローラ８Ａとで挟み込んだ構成であり、電気抵抗値はともに１×１０7Ω、温湿度とカウンターとでマトリックスを組んだ電流値テーブルから所定の電流値を選択して印加する。
【００６５】
押圧力Ｆ：５０Ｎ（ニュートン）、転写材搬送方向ニップ幅：３ｍｍ
二次転写ローラ８Ａの弾性層：半導電性ＮＢＲソリッドゴム（アクリロニトリル・ブタジエンゴム）、体積抵抗値４×１０7Ω、外径φ４０ｍｍ、
中間転写体７：ポリイミド樹脂、シームレス半導電性ベルト（体積抵抗率１０9Ωｃｍ）、張架テンション５０Ｎ、線速２２０ｍｍ／ｓｅｃ
［二次転写前除電手段９Ａ１］
通常、像担持体に使用されるスコロトロン帯電器と同形状の除電極９Ａ１１を設置した。
【００６６】
第１放電電極９１Ａ１には高圧の第１の直流電源Ｅ１が、第２放電電極９１Ａ２には高圧の第２の直流電源Ｅ２がそれぞれ接続され、０〜４００μＡの電流が印加されるが、第２の直流電源Ｅ２により印加される電流値は第１の直流電源Ｅ１により印加される電流値より大きくなるように構成されている。グリッド電極９２とサイドプレート９３とは接続されており、高圧のグリッド用直流電源Ｅ３に接続されて０〜−１０００Ｖの電圧が印加される。また、除電極９Ａ１１に対向するブラシ電極９Ｂはアースに接続している。
【００６７】
第１放電電極９１Ａ１にはトナー像と逆極性の放電がなされる第１の直流電圧Ｅ１が、第２放電電極９１Ａ２にはトナー像と逆極性の放電がなされる第２の直流電圧Ｅ２が、グリッド電極９２にはトナー像と同極性のグリッド用直流電圧Ｅ３が印加できる構成となっている。
【００６８】
本実施の形態においては、第１放電電極９１Ａ１、第２放電電極９１Ａ２にはトナーと逆極性の放電がなされる直流電圧が、グリッド電極９２には直流電圧が印加できる構成となっている。
【００６９】
本実施例では、負の電荷を有するトナー像に対して、二次転写前除電手段９Ａ１の第１放電電極９１Ａ１、第２放電電極９１Ａ２に正の電圧を、グリッド電極９２及びサイドプレート９３に負の電圧を印加する。
【００７０】
グリッド電極９２と中間転写体７との距離は１ｍｍで平行するように設置した。
【００７１】
第１放電電極９１Ａ１、第２放電電極９１Ａ２の幅（中間転写体７の進行方向の長さ）は３０ｍｍ、長手方向の長さ（中間転写体７の進行方向と直交する長さ）は３２０ｍｍとした。
【００７２】
第１放電電極９１Ａ１と第２放電電極９１Ａ２との間隔は８ｍｍ、第１放電電極９１Ａ１及び第２放電電極９１Ａ２と、グリッド電極９２との距離は７ｍｍ、第１放電電極９１Ａ１及び第２放電電極９１Ａ２と、サイドプレート９３との距離は８ｍｍとした。グリッド電極９２の開口率は９０％、ブラシ電極９Ｂの電位は０Ｖである。
【００７３】
除電極９Ａ１１に対向する中間転写体７の内面側には、導電性ブラシ及び導電性ブラシを圧着解除する圧着解除機構で構成されるブラシ電極９Ｂが配設されている。
【００７４】
導電性ブラシは、原糸の抵抗値が１０2Ω、線径が３デニール（１デニールは、長さ４５６０ｍで質量５０ｍｇのときの繊度）、密度が２００ｋＦ／インチ2（Ｆはフィラメント数、１インチは２５．４ｍｍ）、毛長が３ｍｍである。
【００７５】
ブラシ電極９Ｂの導電性ブラシの幅（中間転写体７の進行方向の長さ）は３０ｍｍ、長手方向の長さ（中間転写体７の進行方向と直交する長さ）は３２０ｍｍとした。
【００７６】
［実施例及び比較例］
本発明の二次転写前除電手段９Ａ１の実施例１〜３では、グリッド電極９２の電位（以下、グリッド電位と称す）Ｖｇは−５０Ｖに設定した。
【００７７】
発明の効果を確認する方法として、第１放電電極９１Ａ１に供給される電流値Ｖｗ１と第２放電電極９１Ａ２に供給される電流値Ｖｗ２とを変えて、低温低湿（ＬＬ）環境でのシアントナーとマゼンタトナーとの重ね合わせブルー色ベタ画像と、シアン色単層のハーフトーン画像の画質を確認した。
【００７８】
実施例１〜３、比較例１〜４の画質確認結果を表１に示す。
【００７９】
【表１】
0004765665.tif 000002
【００８０】
実施例１は、第１放電電極９１Ａ１の電流値Ｖｗ１を１８０μＡ、第２放電電極９１Ａ２の電流値Ｖｗ２を３７０μＡに設定したものである。
【００８１】
実施例２は、電流値Ｖｗ１を２００μＡ、電流値Ｖｗ２を３５０μＡに設定したものである。
【００８２】
実施例３は、電流値Ｖｗ１を２３０μＡ、電流値Ｖｗ２を３２０μＡに設定したものである。
【００８３】
比較例１は、電流値Ｖｗ１を２００μＡ、電流値Ｖｗ２を２００μＡに設定したものである。
【００８４】
比較例２は、電流値Ｖｗ１を３００μＡ、電流値Ｖｗ２を３００μＡに設定したものである。
【００８５】
比較例３は、電流値Ｖｗ１を３５０μＡ、電流値Ｖｗ２を２００μＡに設定したものである。
【００８６】
比較例４は、電流値Ｖｗ１を３５０μＡ、電流値Ｖｗ２を３５０μＡに設定したものである。
【００８７】
表１に示されるブルーのベタ画像の評価において、○印は、画像ムラがなく、均一な濃度のブルー画像が得られるものであり、×印は、マゼンタトナーの転写不良が目立つ、色ムラが発生している状況である。
【００８８】
表１に示されるハーフトーン荒れの評価において、○印は、二次転写前除電手段９Ａ１の除電によるハーフトーン画像部のトナー層電位は除電の影響を受けておらず、画像ムラがなく、均一な濃度のハーフトーン画像が得られたもので、×印は、ハーフトーン画像部に画像荒れがあり、画像濃度の均一性に欠けるものである。
【００８９】
第１放電電極９１Ａ１の電流値Ｖｗ１と第２放電電極９１Ａ２の電流値Ｖｗ２とが、Ｖｗ１＜Ｖｗ２である実施例１〜３では、シアントナーとマゼンタトナーとの重ね合わせブルー色ベタ画像の画像ムラがなく、均一な濃度のブルー画像が得られ、シアン色単層のハーフトーン画像の画像ムラがなく、均一な濃度のハーフトーン画像が得られる。
【００９０】
比較例１では、ハーフトーン画像は良好であるが、均一な濃度のブルー画像が得られない。
【００９１】
比較例２〜４では、ブルー画像は良好であるが、ハーフトーン画像に荒れが発生する。
【００９２】
以上、これまで本発明に係る複数の放電部として放電ワイヤを用いた実施の形態について説明したが、本発明に係る複数の放電部の実施形態として、複数の電極を用いる構成でも、放電針を用いる構成でも本発明が適用できる。
【００９３】
図５は、本発明の第２の実施形態に係る二次転写前除電手段９Ａ２の断面図である。
【００９４】
二次転写前除電手段９Ａ２は、中間転写体７の画像担持側に配置された２つの除電極９Ａ２１、９Ａ２２と、無端ベルト状の中間転写体７の内面側に配置されたブラシ電極９Ｂ２と、から構成されている。
【００９５】
中間転写体７に対向して配置された除電極９Ａ２１は、第１の放電部である第１放電電極（放電ワイヤ）９２Ａ１、グリッド電極９２１、及びサイドプレート９２３、から成るスコロトロン除電極である。
【００９６】
サイドプレート９２３の内側に配置された第１放電電極９２Ａ１は電流値付与手段の１つである第１の直流電源Ｅ２１に接続されている。グリッド電極９２１は中間転写体７のベルト面と間隔をもって対向配置され、かつサイドプレート９２３に接続されており、サイドプレート９２３はグリッド用直流電源Ｅ２３に接続されている。
【００９７】
中間転写体７の回動方向下流側に配置された除電極９Ａ２２は、第２の放電部である第２放電電極（放電ワイヤ）９２Ａ２、グリッド電極９２２、及びサイドプレート９２４、から成るスコロトロン除電極である。
【００９８】
サイドプレート９２４の内側に配置された第２放電電極９２Ａ２は電流値付与手段の１つである第２の直流電源Ｅ２２に接続されている。グリッド電極９２２は中間転写体７のベルト面と間隔をもって対向配置され、かつサイドプレート９２４に接続されており、サイドプレート９２４はグリッド用直流電源Ｅ２４に接続されている。
【００９９】
その他の構成は第１の実施形態に係る二次転写前除電手段９Ａ１と同一であるため、説明は省略する。
【０１００】
図６は、本発明の第３の実施形態に係る二次転写前除電手段９Ａ３の断面図である。
【０１０１】
二次転写前除電手段９Ａ３は、中間転写体７の画像担持側に配置された除電極９Ａ３１と、無端ベルト状の中間転写体７の内面側に配置されたブラシ電極９Ｂ３と、から構成されている。
【０１０２】
中間転写体７に対向して配置された除電極９Ａ３１は、第１の放電部である第１放電電極（放電針）９３Ａ１，第２の放電部である第２放電電極（放電針）９３Ａ２、グリッド電極９３１、及びサイドプレート９３２、から成る放電針除電極である。
【０１０３】
サイドプレート９３２の内側で中間転写体７の回動方向上流側に配置された第１放電電極９３Ａ１は電流値付与手段の１つである第１の直流電源Ｅ３１に接続されている。サイドプレート９３２の内側で第１放電電極９３Ａ１の下流側に配置された第２放電電極９３Ａ２は電流値付与手段の他の一つである第２の直流電源Ｅ３２に接続されている。グリッド電極９３１は中間転写体７のベルト面と間隔をもって対向配置され、グリッド用直流電源Ｅ３３に接続されている。サイドプレート９３２はグリッド９３１に接続されている。
【０１０４】
その他の構成については、第１の実施形態、第２の実施形態に類似しているため、説明は省略する。
【０１０５】
なお、本実施の形態では、中間転写体７として中間転写ベルトを用いた例について説明したが、本発明は、他の形状の中間転写体を用いるもの（例えば、中間転写ドラム）にも適用する事が出来る。
【図面の簡単な説明】
【０１０６】
【図１】本発明の実施の形態に係るカラー画像形成装置の全体構成を示す断面図である。
【図２】カラー画像形成装置Ａの要部を示す断面図である。
【図３】本発明の第１の実施形態に係る二次転写前除電手段９Ａ１の断面図である。
【図４】フルカラー複写機改造機の要部を示す模式図である。
【図５】本発明の第２の実施形態に係る二次転写前除電手段９Ａ２の断面図である。
【図６】本発明の第３の実施形態に係る二次転写前除電手段９Ａ３の断面図である。
【符号の説明】
【０１０７】
１Ｙ，１Ｍ，１Ｃ，１Ｋ  像担持体
５Ｙ，５Ｍ，５Ｃ，５Ｋ  一次転写手段
７  中間転写体
８  二次転写手段
９Ａ１、９Ａ２、９Ａ３  二次転写前除電手段（放電手段）
９Ａ１１、９Ａ２１、９Ａ２２、９Ａ３１  除電極
９Ｂ  ブラシ電極（対向電極）
９１Ａ１  第１放電電極（第１の放電部）
９１Ａ２  第２放電電極（第２の放電部）
９２  グリッド電極
９３  サイドプレート
Ａ  カラー画像形成装置
Ｅ１  第１の直流電源（電流値付与手段）
Ｅ２  第２の直流電源（電流値付与手段）
Ｅ３  グリッド用直流電源
Ｖｇ  グリッド電位
【図１】
0004765665.tif 000003
【図２】
0004765665.tif 000004
【図３】
0004765665.tif 000005
【図４】
0004765665.tif 000006
【図５】
0004765665.tif 000007
【図６】
0004765665.tif 000008